(57)【要約】【課題】エンジン始動時にバッテリの出力電圧に瞬断が生じる懸念を軽減すること。【解決手段】車両１０には、エンジン１２の他に、バッテリ２６の出力電圧に基づいて電気／電子系の装備に電力を供給する電源ユニット３８と、徐励発電によってバッテリ２６を充電するオルタネータ２４とが設けられる。アイドルスタート条件の成立によってエンジン１２が始動されると、ＥＣＵ３６は、電気／電子系の装備の負荷が軽減されるように電源ユニット３８の設定を変更する処理および／または徐励発電における目標電圧値が上昇するようにオルタネータ２４の設定を変更する処理を、バッテリ２６の劣化状態に応じて異なる態様で実行する。このような設定変更処理が完了すると、ＥＣＵ３６は、電源ユニット３８を起動する。【選択図】図１
2019048592.tif 000002
【特許請求の範囲】
【請求項１】
バッテリの出力電圧に基づいて電気負荷に電力を供給する電源ユニットと、徐励発電によって前記バッテリを充電するオルタネータとを備える車両を制御する車両制御装置であって、
エンジンが始動されたとき前記電気負荷が軽減されるように前記電源ユニットの設定を変更する処理および／または前記徐励発電における目標電圧が上昇するように前記オルタネータの設定を変更する処理を前記バッテリの劣化状態に応じて異なる態様で実行する設定変更手段、および
前記設定変更手段の処理の後に前記電源ユニットを起動する起動手段を備える、車両制御装置。
【発明の詳細な説明】
【技術分野】
【０００１】
この発明は、車両制御装置に関し、特に、バッテリの出力電圧に基づいて電気負荷に電力を供給する電源ユニットと、徐励発電によってバッテリを充電するオルタネータとを備える車両を制御する、車両制御装置に関する。
【背景技術】
【０００２】
エンジン始動時にはスタータモータに瞬間的に大電流が供給されるため、バッテリの電源容量が十分でない場合には、バッテリの出力電圧の瞬断によってシステムダウンが生じるおそれがある。これを踏まえて、特許文献１では、近い将来にバッテリの出力電圧に瞬断が生じ得ると判断されると、駆動電力の供給を中止する供給中止信号が、車載機器用電源ユニットに出力される。車載機器群に対する駆動電力の供給は、瞬断が発生する前に車載機器用電源ユニットによって中止される。
【０００３】
バッテリの負荷は車載機器群によって消費されていた駆動電力相当分だけ軽くなり、大電流がスタータモータに供給される時のバッテリの最低電圧が高められる。瞬断によるシステムダウンは、バッテリの最低電圧が高められることで回避される。
【先行技術文献】
【特許文献】
【０００４】
【特許文献１】特開２０１４−１６９０１３号公報
【発明の概要】
【発明が解決しようとする課題】
【０００５】
特許文献１では、近い将来にバッテリの出力電圧に瞬断が生じ得るか否かは、バッテリの出力電圧を閾値電圧と比較したり、バッテリの出力電圧の単位時間当たりの減少率を算出したりすることで判断される。
【０００６】
しかし、このような手法では、バッテリの出力電圧に瞬断が生じ得ると判断してから車載機器群への電力供給を中止するまでに時間がかかり、この結果、バッテリの出力電圧に瞬断が生じるおそれがある。
【０００７】
それゆえに、この発明の主たる目的は、エンジンの始動時にバッテリの出力電圧に瞬断が生じる懸念を軽減することができる、車両制御装置を提供することである。
【課題を解決するための手段】
【０００８】
この発明に係る車両制御装置は、バッテリの出力電圧に基づいて電気負荷に電力を供給する電源ユニットと、徐励発電によってバッテリを充電するオルタネータとを備える車両を制御する車両制御装置であって、エンジンが始動されたとき電気負荷が軽減されるように電源ユニットの設定を変更する処理および／または徐励発電における目標電圧が上昇するようにオルタネータの設定を変更する処理をバッテリの劣化状態に応じて異なる態様で実行する設定変更手段、および設定変更手段の処理の後に電源ユニットを起動する起動手段を備える。
【発明の効果】
【０００９】
エンジンが始動されると、バッテリの劣化状態に応じて、電気負荷が軽減されるように電源ユニットの設定が調整されるか、徐励発電における目標電圧が上昇するようにオルタネータの設定が変更されるか、或いはその両方が実行される。電源ユニットから電気負荷への電力の供給は、このような設定変更処理の後に開始される。これによって、エンジンの始動時にバッテリの出力電圧に瞬断が生じる懸念を軽減することができる。
【００１０】
この発明の上述の目的，その他の目的，特徴および利点は、図面を参照して行う以下の実施例の詳細な説明から一層明らかとなろう。
【図面の簡単な説明】
【００１１】
【図１】この実施例の車両の要部構成の一部を示すブロック図である。
【図２】図１に示すＥＣＵの動作の一部を示すフロー図である。
【図３】図１に示すＥＣＵの動作の他の一部を示すフロー図である。
【図４】（Ａ）はエンジン回転数とオルタネータ温度とオルタネータ電流値との関係の一例を示すマップであり、（Ｂ）はエンジン回転数とオルタネータ温度とオルタネータ電流値との関係の他の一例を示すマップである。
【図５】（Ａ）はバッテリ電圧値の時間的変化の一例を示すグラフであり、（Ｂ）はバッテリ電流値の時間的変化の一例を示すグラフである。
【図６】劣化抵抗値とバッテリの劣化度合との関係の一例を示すグラフである。
【図７】オルタネータ電圧値の時間的変化の一例を示すグラフである。
【発明を実施するための形態】
【００１２】
図１を参照して、この実施例の車両１０は、３つの気筒１４１〜１４３が形成された４ストローク型のエンジン（内燃機関）１２を動力源として備える。
【００１３】
イグニッションキー（図示せず）によってＩＧオン操作が行われるか、或いはアイドルストップ状態でアイドルスタート条件が成立すると、ＥＣＵ３６は、エンジン１２を始動するべくリレー２８をオンする。バッテリ２６の電力はオン状態のリレー２８を介してスタータ３０に供給され、スタータ３０はバッテリ２６の電力によってクランキングを実行する。エンジン１２はクランキングによって始動し、気筒１４１〜１４３の各々に設けられたピストン（図示せず）は、クランクシャフト１６がアイドル回転数で回転できる速度で上下動する。
【００１４】
クランクシャフト１６とプロペラシャフト２０との間には、ＣＶＴ１８が介在する。クランクシャフト１６の回転力は、ＣＶＴ１８に設定された変速比でプロペラシャフト２０に伝達される。プロペラシャフト２０の回転力はその後、ドライブシャフト（図示せず）を介してタイヤまで伝達され、これによって車両１０が前進する。
【００１５】
なお、クランクシャフト１６の回転数はエンジン１２の回転数（＝エンジン回転数）に相当するところ、エンジン回転数は、図示しないアクセルペダルの踏み込み量に応じて変化し、かつエンジン回転センサ３４によって検知される。
【００１６】
クランクシャフト１６の回転力はまた、ベルト２２を介してオルタネータ２４の回転軸２４ｓに伝達される。オルタネータ２４は徐励発電を行い、オルタネータ２４の出力電圧値（＝オルタネータ電圧値）は徐々に目標電圧値まで上昇する。バッテリ２６は、こうして動作するオルタネータ２４によって充電される。なお、オルタネータ２４の温度（＝オルタネータ温度）は、温度センサ３２によって検知される。
【００１７】
車両１０に搭載される電気負荷としては、エンジン駆動部品（インジェクタ，プラグ等），ライト，ＶＳＣのような走行に必要不可欠な装備つまり不可欠装備の他に、ヒートシータやエアコンのような運転者の快適性を高める装備つまり快適装備がある。電源ユニット３８は、バッテリ２６の出力電圧に基づいてこれらの装備に電力を供給する。
【００１８】
上述のようにオルタネータ２４は徐励発電を行うため、エンジン１２が始動した直後のオルタネータ２４の出力は、バッテリ２６の出力よりも格段に小さい。したがって、バッテリ２６の劣化によってバッテリ２６の出力が低下すると、相対的に電気負荷が過大となり、バッテリ２６の出力が瞬断するおそれがある。
【００１９】
ここで、不可欠装備に対して電力を供給する優先度は、快適装備に電力を供給する優先度よりも格段に高い。また、アイドルスタート条件の成立に応答して不可欠装備に電力を供給する必要性は、ＩＧオン操作に応答して不可欠装備に電力を供給する必要性よりも格段に高い。
【００２０】
そこで、この実施例では、アイドルストップ状態においてアイドルスタート条件が成立したとき、図２および図３に示すフロー図に従う車両制御処理をＥＣＵ３６に実行させるようにしている。
【００２１】
なお、このフロー図に対応する制御プログラムは、メモリ３６ｍに記憶される。また、エンジン１２の回転数およびオルタネータ２４の温度は、図示しない別ルーチンの下で繰り返し検出される。
【００２２】
さらに、メモリ３６ｍには、エンジン回転数とオルタネータ温度とオルタネータ電流値（＝オルタネータ２４の出力電流値）との関係を示すマップがバッテリ電圧値毎に準備される（図４（Ａ），図４（Ｂ）参照）。
【００２３】
図４（Ａ）によれば、オルタネータ電流値は、エンジン回転数およびオルタネータ温度に応じて、Ｉ１２（１，１）〜Ｉ１２（７，７）の間で変化する。また、図４（Ｂ）によれば、オルタネータ電流値は、エンジン回転数およびオルタネータ温度に応じて、Ｉ１３（１，１）〜Ｉ１３（７，７）の間で変化する。
【００２４】
図２を参照して、ステップＳ１ではバッテリ２６の出力電圧値（＝バッテリ電圧値）を検出し、ステップＳ３ではバッテリ２６の出力電流値（＝バッテリ電流値）を検出する。ステップＳ５ではオルタネータ温度を別ルーチンから取得し、ステップＳ７ではエンジン回転数を別ルーチンから取得する。
【００２５】
ステップＳ９では、ステップＳ１で検出されたバッテリ電圧値に対応するマップを上述した複数のマップの中から選択する。ステップＳ９ではまた、ステップＳ５で取得されたオルタネータ温度およびステップＳ７で検出されたエンジン回転数に対応するオルタネータ電流値を、選択したマップを参照して推定する。
【００２６】
ステップＳ１１では、ステップＳ１で検出されたバッテリ電圧値をステップＳ３で検出されたバッテリ電流値で割り算して抵抗値を算出し、算出された抵抗値と既定抵抗値との差分を劣化抵抗値として検出する。
【００２７】
ここで、既定抵抗値とは、バッテリ２６が新品（ＳＯＣ＝１００％）の状態で検出されたバッテリ電圧値およびバッテリ電流値から算出された抵抗値である。既定抵抗値を定義するバッテリ電圧値およびバッテリ電流値が図５（Ａ）および図５（Ｂ）に描かれた点線に沿って変化し、現状の抵抗値を定義するバッテリ電圧値およびバッテリ電流値が図５（Ａ）および図５（Ｂ）に描かれた実線に沿って変化する場合、点線と実線との差分が劣化抵抗値に相当する。また、図６から分かるように、バッテリ２６の劣化度合いは、劣化抵抗値が増大するほど増大する。
【００２８】
ステップＳ１３では、数式１に従って不足電圧値を算出する。
［数式１］
不足電圧値＝｛Ｋ−オルタネータ電流値｝＊劣化抵抗値
【００２９】
数式１によれば、ステップＳ９で推定されたオルタネータ電流値が定数Ｋから引き算され、これによって得られた引き算値がステップＳ１１で検出された劣化抵抗値と掛け算される。こうして算出される不足電圧値は、オルタネータ２４による徐励発電の目標電圧値をバッテリ２６の劣化を考慮して補正するべく用いられる。
【００３０】
ステップＳ１５では、不足電圧値が０Ｖを上回るか否かを判別する。判別結果がＮＯであれば、ステップＳ１７に進み、徐励発電の目標電圧値が初期値に合わせられるようにオルタネータ２４の設定を調整する（図７参照）。ステップＳ１９では、オルタネータ電圧値が目標電圧値に達したか否かを繰り返し判別する。
【００３１】
判別結果がＮＯからＹＥＳにすると、ステップＳ２１で電源ユニット３８を起動する。電気負荷への電力の供給は、電源ユニット３８の起動によって開始される。車両制御処理は、電源ユニット３８が起動された後に終了する。
【００３２】
一方、ステップＳ１５の判別結果がＹＥＳであれば、ステップＳ２３に進み、劣化抵抗値が閾値ＴＨ１を下回るか否かを判別する。判別結果がＹＥＳであればそのままステップＳ１９に戻る一方、判別結果がＮＯであればステップＳ２５〜Ｓ３１で以下の処理を実行してからステップＳ１９に戻る。
【００３３】
つまり、ステップＳ２５では、徐励発電の目標電圧値が“初期値＋不足電圧値” に合わせられるようにオルタネータ２４の設定を調整する（図７参照）。ステップＳ２７では、劣化抵抗値が閾値ＴＨ１よりも大きい閾値ＴＨ２を下回るか否かを判別する。
【００３４】
判別結果がＮＯでればステップＳ２９に進み、快適装備の働きが弱化するように電源ユニット３８に設定を変更する。一方、判別結果がＹＥＳであれば、快適装備が所定期間だけ停止されるように電源ユニット３８に設定を変更する。電気負荷は、こうして段階的に制限される。
【００３５】
以上の説明から分かるように、車両１０には、エンジン１２の他に、バッテリ２６の出力電圧に基づいて電気負荷に電力を供給する電源ユニット３８と、徐励発電によってバッテリ２６を充電するオルタネータ２４とが設けられる。アイドルスタート条件の成立によってエンジン１２が始動されると、ＥＣＵ３６は、電気負荷が軽減されるように電源ユニット３８の設定を変更する処理および／または徐励発電における目標電圧値が上昇するようにオルタネータ２４の設定を変更する処理を、バッテリ２６の劣化状態に応じて異なる態様で実行する(S23~S31)。このような設定変更処理が完了すると、ＥＣＵ３６は、電源ユニット３８を起動する(S21)。これによって、エンジン１２の始動時にバッテリ２６の出力電圧に瞬断が生じる懸念を軽減することができる。
【符号の説明】
【００３６】
１０  …車両
１２  …エンジン
２４  …オルタネータ
２６  …バッテリ
３２  …温度センサ
３４  …エンジン回転センサ
３６  …ＥＣＵ
３８  …電源ユニット
【図１】
2019048592.tif 000003
【図２】
2019048592.tif 000004
【図３】
2019048592.tif 000005
【図４】
2019048592.tif 000006
【図５】
2019048592.tif 000007
【図６】
2019048592.tif 000008
【図７】
2019048592.tif 000009